(57)【要約】【課題】遊技釘を配置する自由度を低下させたり、遊技盤の強度を低下させたりすることなく、遊技者に対してセル自体が発光しているように感じさせることにより、遊技者に対する装飾効果を高めることが可能となるパチンコ遊技機を提供する。【解決手段】遊技機１は、遊技板５ａと、遊技板５ａの表面に貼付されて描画領域を有するシート状のセル３１と、遊技板５ａから遊技者の側に突出する遊技部品と、遊技部品に設けられてセル３１の描画領域を遊技者の側から光で照射する照射手段４１と、を備え、セル３１の描画領域には白色領域３１ａが含まれ、照射手段４１は白色領域３１ａを遊技者の側から光で照射する。【選択図】図３
2013180072.tif 000002
【特許請求の範囲】
【請求項１】
遊技板と、該遊技板の表面に貼付されて描画領域を有し、前記遊技板に打ち込まれた多数の遊技釘が突出することで遊技球が転動する領域である遊技領域をその表面に形成するシート状のセルと、前記遊技板から遊技者の側に突出する遊技部品と、前記遊技部品に設けられて前記セルの描画領域に対して遊技者の側から光を照射する照射手段と、を備えるパチンコ遊技機であって、
前記セルの描画領域には白色領域が含まれ、
前記照射手段は前記白色領域に光を照射する、
ことを特徴とする、パチンコ遊技機。
【請求項２】
前記セルの描画領域における白色領域の周囲は、前記照射手段が照射する光の反対色と同系色により彩色され、
前記照射手段は前記白色領域の周囲に光を照射する、
ことを特徴とする、請求項１に記載のパチンコ遊技機。
【発明の詳細な説明】
【技術分野】
【０００１】
本発明は、パチンコ遊技機の技術に関し、具体的にはパチンコ遊技機における装飾技術に関する。
【背景技術】
【０００２】
従来、パチンコ遊技機において、図案等のプリントされたシート状のセルがパチンコ遊技機の遊技板に貼付されて、遊技盤が構成されている。そして、遊技者に対する装飾効果を高めるために、当該セルに透過領域を設け、遊技者とは反対の側から遊技板に設けた貫通孔を介して、セルの透過領域に光を照射する技術が知られている（例えば、特許文献１を参照）。これにより、セルの透過領域を発光させて、遊技者に対してセル自体が光っているかのように見せるのである。
【先行技術文献】
【特許文献】
【０００３】
【特許文献１】特開２００４−２０９０３９号公報
【発明の概要】
【発明が解決しようとする課題】
【０００４】
しかしながら、特許文献１に記載の如く遊技板に貫通孔を形成した場合には、遊技釘を配置する自由度が低下するという問題があった。即ち、遊技板の貫通孔に該当するセルの透過領域には遊技釘を打つことができないため、遊技釘を打つことのできる範囲が制限されてしまうのである。また、遊技板に貫通孔を形成すると、遊技盤自体の強度が低下するという問題があった。
【０００５】
本発明は、上記のような問題点に鑑みてなされたものであり、遊技釘を配置する自由度を低下させたり、遊技盤の強度を低下させたりすることなく、遊技者に対してセル自体が発光しているように感じさせることにより、遊技者に対する装飾効果を高めることが可能となるパチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、遊技板と、該遊技板の表面に貼付されて描画領域を有し、前記遊技板に打ち込まれた多数の遊技釘が突出することで遊技球が転動する領域である遊技領域をその表面に形成するシート状のセルと、前記遊技板から遊技者の側に突出する遊技部品と、前記遊技部品に設けられて前記セルの描画領域に対して遊技者の側から光を照射する照射手段と、を備えるパチンコ遊技機であって、前記セルの描画領域には白色領域が含まれ、前記照射手段は前記白色領域に光を照射するものである。
【０００８】
請求項２においては、前記セルの描画領域における白色領域の周囲は、前記照射手段が照射する光の反対色と同系色により彩色され、前記照射手段は前記白色領域の周囲に光を照射するものである。
【発明の効果】
【０００９】
本発明により、パチンコ遊技機において、遊技釘を配置する自由度を低下させたり、遊技盤の強度を低下させたりすることなく、遊技者に対してセル自体が発光しているように感じさせることにより、遊技者に対する装飾効果を高めることが可能となる。
【図面の簡単な説明】
【００１０】
【図１】本発明の一実施形態に係るパチンコ遊技機の全体的な構成を示した正面図。
【図２】同じく、パチンコ遊技機の窓枠が開放された状態の構成を示した正面斜視図。
【図３】同じく、遊技盤の構成を示した正面図。
【図４】同じく、照射手段による照射時における遊技盤の構成を示した正面図。
【図５】（ａ）は図３におけるＡ−Ａ線断面図、（ｂ）は図４におけるＢ−Ｂ線断面図。
【発明を実施するための形態】
【００１１】
まず、本発明に係るパチンコ遊技機の一実施形態であるパチンコ遊技機（以下、単に「遊技機」と記載する）１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１２】
遊技機１は、図１及び図２が示すように、主として、外枠２と、中枠３と、窓枠４と、により構成される枠体に、各種の遊技部品が取り付けられて形成される。
【００１３】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１４】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１５】
遊技盤５は、略平板状に形成される部材である。遊技盤５は、中枠３の下側を除く略全面に渡って配置される。遊技盤５は、中枠３に着脱自在に取り付けられる。遊技盤５は、板状部材である遊技板５ａの前側表面に、描画領域を有するシート状のセル３１が貼付されて構成されている。そして、遊技球が転動する領域である遊技領域１９が遊技盤５の表面に形成される（図３から図５（ａ）及び（ｂ）を参照）。これにより、セル３１の描画領域に描かれた文字や図形によって、遊技機１が有するイメージやコンセプトを遊技者に印象付けるとともに、遊技者に対する装飾効果を高める構成としている。なお、本実施形態において、セル３１は遊技板５ａの前側の表面に貼付される構成としているが、遊技板５ａを透明板で構成して、セル３１を遊技板５ａの後側の表面（遊技者と反対側の面）から貼付する構成とすることも可能である。
【００１６】
また、遊技盤５（厳密にはセル３１が貼付された遊技板５ａ、以下同様に記載する）における遊技領域１９の部分には、遊技球を不規則に転動させるために図示しない多数の遊技釘が打ち込まれている。換言すれば、遊技板５ａに打ち込まれた多数の遊技釘がセル３１から突出することで、セル３１の表面に遊技球が転動する領域である遊技領域１９を形成しているのである。
【００１７】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１８】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００１９】
次に、遊技盤５の構成について、図３から図５（ａ）及び（ｂ）を用いてさらに詳細に説明する。
【００２０】
遊技盤５には、遊技盤５から遊技者の側である前方に突出する遊技部品が複数設けられる。本実施形態においては、遊技部品としてガイドレール１０、図柄表示装置１１、図柄表示開口部１２、一般入賞口１３、大入賞装置１４、可変入賞装置１５、アウト口１６、センター役物３２などが設けられている。また、これらの遊技部品の周辺や内部には、ＬＥＤなどにより発光可能に構成された照射手段が設けられている（図５（ａ）及び（ｂ）に示す照射手段４１を参照）。
【００２１】
本実施形態においてはこのように、遊技機１において大当たり時やイベント開始時において照射手段４１が適宜発光し、遊技者に対して直接光を発光したり、遊技盤５の表面に貼付されたセル３１の描画領域に対して遊技者の側から光を照射したりすることにより、遊技者の興味や関心を引くとともに、遊技者に対する装飾効果を高める構成としている。なお、照射手段４１の周辺に遮光部材を配置することにより、照射手段４１による光を遊技者側には発光せず、セル３１のみに光を照射するように構成することも可能である。
【００２２】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２３】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２４】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２５】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２６】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２７】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２８】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００２９】
センター役物３２は、遊技領域１９の上部であって液晶画面２０を取り囲むように（本実施形態においては液晶画面２０の左右両端側から上側に亘って取り囲むように）配置される。本実施形態に係る遊技機１においてセンター役物３２は、大当たり時やイベント開始時において適宜可動する可動体などにより、遊技者に視覚的な印象（インパクト）を与え、その遊技者の興趣を高める装置である。
【００３０】
本実施形態においては、センター役物３２をはじめとする各遊技部品の内部には照射手段が内装されている。センター役物３２における遊技領域１９の側の面には開口部３２ａが設けられ、開口部３２ａには図５（ａ）及び（ｂ）に示す如く照射手段４１が発光する光を透過する立壁３３が配設されている。なお、立壁３３は遊技球が通過しない程度に形成された網状部材や柵状部材でも差し支えない。また、立壁３３は無色透明な部材である必要はなく、立壁３３に彩色を施して、光が透過する際に光が色づけられる（立壁３３の色が光の色となる）構成とすることも可能である。
【００３１】
そして、この照射手段４１がセンター役物３２等の動きに連動して光を発光し、遊技者に与える視覚的な印象を大きくして、その遊技者の興趣をより高めているのである。なお、本実施形態において、遊技部品である役物としてはセンター役物３２のみが配設されているが、遊技盤５の左右両端部またはどちらか一端部にサイド役物を配設する構成とすることも可能である。
【００３２】
本実施形態において、遊技板５ａの表面に貼付されたセル３１の描画領域には、図３から図５（ａ）及び（ｂ）に示す如く、白色に彩色された白色領域３１ａと、白色領域３１ａの周囲の領域である他の領域３１ｂとが含まれている。本実施形態において白色領域３１ａは、図３に示す如くセル３１において、その端部がセンター役物３２に接するとともに、センター役物３２から延出するように枝分かれした線形状に配置されている。なお、白色領域３１ａの形状は本実施形態における線形状に限定されるものではなく、他のあらゆる形状を白色領域３１ａとして表すことが可能である。
【００３３】
本実施形態においては上記の如く構成することにより、遊技者に対する装飾効果を高めることができる。具体的には、図５（ｂ）に示す如く照射手段４１が発光し、白色領域３１ａに遊技者の側から光を照射した際に、照射手段４１からの光を白色領域３１ａが反射光として強く反射する。これにより、白色領域３１ａから発せられる反射光が、遊技者にとっては図４に示す如く白色領域３１ａが発光しているかの如く感じられるのである。
【００３４】
即ち、遊技者にとって、照射手段４１が光を発光する前は白色だった白色領域３１ａが、照射手段４１からの光によって、前記光と同じ色の光を発光しているように見えるのである。
本実施形態において白色領域３１ａはセンター役物３２から延出するように枝分かれした線形状に配置されているため、白色領域３１ａから反射光が発光することにより、図４に示す如く稲妻が光るような演出を行うことができる。このように、遊技者に与える視覚的な印象をより大きくして、その遊技者に対する装飾効果をより高めることが可能となるのである。
【００３５】
また、照射手段４１による光を遊技者側には発光せず、セル３１のみを照射するように構成した場合には、セル３１における白色領域３１ａだけが発光しているように見えるため、遊技者への視覚的な印象をより強く与えることが可能となる。
【００３６】
また、本実施形態におけるセル３１は図５（ａ）及び（ｂ）に示す如く、遊技板５ａに貼付されており、遊技板５ａには貫通孔が形成されることがない。このため、遊技釘の配置について自由度が低下することがない。換言すれば、白色領域３１ａか他の領域３１ｂかを問わず、セル３１の描画領域全体、つまり遊技領域１９の全域にわたって遊技釘を打つことが可能となり、遊技釘を打つことのできる範囲を制限することがないのである。また、本実施形態では遊技板５ａに貫通孔を形成しないため、遊技盤５自体の強度が低下することもない。
【００３７】
なお、本実施形態においては図５（ｂ）に示す如く、センター役物３２に内装された照射手段４１が発光した際の白色領域３１ａの反射光について説明したが、照射手段４１の配置形態はこれに限定されるものではない。即ち、照射手段４１が配設される遊技部品は、遊技板５ａから遊技者の側である前方に突出するものであればよく、例えば一般入賞口１３、大入賞装置１４、可変入賞装置１５、サイド役物などに照射手段４１を配設する構成とすることも可能である。あるいは、照射手段４１を窓枠４に配設する構成とすることも可能である。この場合、照射手段４１からの光を白色領域３１ａに強く反射させる観点から、白色領域３１ａはセル３１においてその端部を照射手段４１が配設された遊技部品に接するように配置することが好ましい。
【００３８】
また、本実施形態においては、白色領域３１ａの周囲に配置される他の領域３１ｂは、照射手段４１が照射する光の反対色と同系の彩色がなされている。このため、図５（ｂ）に示す如く照射手段４１が発光し、白色領域３１ａに対して遊技者の側から光を照射した際には、他の領域３１ｂに対しても照射手段４１により光が照射されることになる。
【００３９】
反対色は補色や対照色ともいい、色相を円環にして並べた色相環で対向する位置に配置される色のことである。反対色は互いの色を引き立てあう効果を持っており、例えば赤色と緑色、黄色と紫色などの関係がある。本実施形態において、照射手段４１からの光が例えば赤色であったならば、他の領域３１ｂは緑色系の彩色がなされるのである。なお、図３においては説明の便宜上、他の領域３１ｂの彩色は省略しており、白色領域３１ａと同様に白色で表現している。
【００４０】
本実施形態においては上記の如く構成することにより、遊技者に対する装飾効果をより高めることができる。具体的には、他の領域３１ｂを照射手段４１からの光の反対色で彩色することにより、図５（ｂ）に示す如く照射手段４１からの光を白色領域３１ａが反射光として強く反射する際に、他の領域３１ｂにおける光の反射を小さくできる。より詳細には、他の領域３１ｂにおいて、他の領域３１ｂに彩色された色と照射手段４１からの光の色とを混色させ、他の領域３１ｂに彩色された色を遊技者に明るく見せないことが可能となり、白色領域３１ａと他の領域３１ｂとのコントラストを高めることができる。このため、白色領域３１ａが発光している印象を遊技者により与えることができ、遊技者に与える視覚的な印象をより大きくして、その遊技者に対する装飾効果をより高めることが可能となるのである。
【００４１】
上記の如く、本実施形態に係る遊技機１によれば、遊技釘を配置する自由度を低下させたり、遊技盤５の強度を低下させたりすることなく、遊技者に対してセル３１自体を発光させることにより、遊技者に対する装飾効果を高めることが可能となるのである。
【符号の説明】
【００４２】
１    遊技機
５    遊技盤
３１    セル
３１ａ  白色領域
４１    照射手段
【図１】
2013180072.tif 000003
【図２】
2013180072.tif 000004
【図３】
2013180072.tif 000005
【図４】
2013180072.tif 000006
【図５】
2013180072.tif 000007